(57)【要約】【課題】ロックアームの操作部に対する指による押し操作を支障なく行えるようにする。【解決手段】ロックアーム１６の操作部２０は、ロックアーム１６をロック位置から解除位置側へ変位させるための押し操作の際に指Ｆを押し当てることが可能な操作面２５を有する。操作部２０の幅方向両側には一対の干渉部１４が配置されている。操作部２０には、操作面２５から立ち上がった形態であって、幅方向に対向し合うように位置する一対の係止部２６が形成されている。押し操作の際には、指Ｆの先端が係止部２６に係止するので、指Ｆが幅方向へずれる虞はない。【選択図】図１
2010262810.tif 000002
【特許請求の範囲】
【請求項１】
コネクタハウジングと、
前記コネクタハウジングに連なる撓み支点部から自由端の操作部に至るまで前記コネクタハウジングの外面に沿って延出した形態であって、常にはロック位置を保つが、前記ロック位置よりも前記コネクタハウジングの外面に接近した解除位置への弾性撓みを可能とされているロックアームと、
前記操作部に形成され、前記ロックアームを前記解除位置側へ変位させるための押し操作の際に指による操作力が付与される操作面と、
前記操作部をその幅方向両側から挟むように配置された一対の干渉部とを備えたコネクタにおいて、
前記操作部には、前記操作面から立ち上がった形態であって幅方向に対向し合うように位置する一対の係止部が形成されていることを特徴とするコネクタ。
【請求項２】
前記一対の係止部は、前記ロックアームの延出方向に沿って連続して延びた形態とされていることを特徴とする請求項１記載のコネクタ。
【請求項３】
前記コネクタハウジングは、前記ロックアームの延出方向に沿って型開きされる金型によって成型されるようになっており、
前記一対の係止部の間に形成される凹部は、その前記ロックアームの延出方向における両端のうち少なくともいずか一方の端部が開放された形態となっていることを特徴とする請求項１又は請求項２記載のコネクタ。
【発明の詳細な説明】
【技術分野】
【０００１】
本発明は、コネクタに関するものである。
【背景技術】
【０００２】
特許文献１には、コネクタハウジングの外面に沿うようにロックアームを形成したコネクタが開示されている。ロックアームは、常にはロック位置に保持されているが、コネクタハウジングの外面に接近した解除位置へ弾性撓みし得るようになっている。相手コネクタとの嵌合過程では、ロックアームが解除位置へ一旦弾性撓みし、相手コネクタと正規嵌合されると、ロックアームがロック位置へ弾性復帰し、相手コネクタのロック部に係止することにより、両コネクタが嵌合状態にロックさるようになっている。また、嵌合状態の両コネクタを離脱させる際には、作業者が指でロックアームの操作部を押し操作することにより、ロックアームを解除位置へ弾性撓みさせ、ロックアームをロック部から解離させるようになっている。
【先行技術文献】
【特許文献】
【０００３】
【特許文献１】特開２００４−３９５５５号公報
【発明の概要】
【発明が解決しようとする課題】
【０００４】
上記のコネクタでは、コネクタハウジングの外面とロックアームとの間にはロックアームの弾性撓みを許容するための撓み空間が確保されているため、この撓み空間内に入り込んだ電線がロックアーム側へ引っ張られると、ロックアームが解除位置側とは反対の不正な方向へ反転させられる虞がある。そのため、コネクタハウジングの外面には、ロックアームの左右両側に位置してロックアームの側縁部を当接させることにより、ロックアームの反転動作を規制する規制部が形成されている。
【０００５】
ところが、コネクタハウジングの外面において規制部とロックアームを配置するためのスペースに幅方向の制約がある場合には、ロックアーム全体が幅狭となり、必然的に操作部も幅狭となってしまう。このように操作部が幅狭になった場合には、指の腹（指紋がある領域）を操作部に宛てたときに、指の両側が規制部に当たってしまい、操作部を押し操作することができなくなってしまう虞がある。このような不具合は、反転防止用の規制部を設けた場合に限らず、ロックアームの左右両側に保護壁を形成することが原因となって操作部が幅狭になった場合にも、同様に生じうる問題である。
【０００６】
本発明は上記のような事情に基づいて完成されたものであって、ロックアームの操作部に対する指による押し操作を支障なく行えるようにすることを目的とする。
【課題を解決するための手段】
【０００７】
上記の目的を達成するための手段として、請求項１の発明は、コネクタハウジングと、前記コネクタハウジングに連なる撓み支点部から自由端の操作部に至るまで前記コネクタハウジングの外面に沿って延出した形態であって、常にはロック位置を保つが、前記ロック位置よりも前記コネクタハウジングの外面に接近した解除位置への弾性撓みを可能とされているロックアームと、前記操作部に形成され、前記ロックアームを前記解除位置側へ変位させるための押し操作の際に指による操作力が付与される操作面と、前記操作部をその幅方向両側から挟むように配置された一対の干渉部とを備えたコネクタにおいて、前記操作部には、前記操作面から立ち上がった形態であって、幅方向に対向し合うように位置する一対の係止部が形成されているところに特徴を有する。
【０００８】
請求項２の発明は、請求項１に記載のものにおいて、前記一対の係止部は、前記ロックアームの延出方向に沿って連続して延びた形態とされているところに特徴を有する。
【０００９】
請求項３の発明は、請求項１または請求項２に記載のものにおいて、前記コネクタハウジングは、前記ロックアームの延出方向に沿って型開きされる金型によって成型されるようになっており、前記一対の係止部の間に形成される凹部は、その前記ロックアームの延出方向における両端のうち少なくともいずか一方の端部が開放された形態となっているところに特徴を有する。
【発明の効果】
【００１０】
＜請求項１の発明＞
一般に人の指の厚さ寸法は幅寸法に比べて小さいので、操作部を押し操作する際には、指の腹が幅方向を向くようにして爪の先を操作部に押し付けるようにすれば、指が干渉部と干渉するのを回避することができる。このように指が干渉部と干渉しないように操作部を押した場合、指の関節の曲がる方向が、操作部を押す方向とほぼ直角な幅方向となることから、押し操作の際に操作面上で指が幅方向へずれることが懸念される。しかし、操作面上には、幅方向に対向し合う一対の係止部が設けられているので、この係止部に爪又は指先が引っ掛かることにより、指が幅方向へずれるのを回避できる。これにより、指による押し操作を支障なく行うことができる。
【００１１】
＜請求項２の発明＞
係止部は、ロックアームの延出方向即ちロックアームの幅方向と交差する方向に延びた係止面を有しているので、操作面を押し操作したときに指がロックアームの延出方向にずれたとしても、指は係止部に係止した状態に保たれる。
【００１２】
＜請求項３の発明＞
一対の係止部の間の凹部は、ロックアームの延出方向における両端のうち少なくともいずか一方の端部が開放された形態となっているので、ロックアームは、そのロックアームの延出方向に型開きされる金型のみを用いて成型することが可能である。このことは、ロックアームとコネクタハウジングを共通の金型で成型し得ることを意味するので、金型コストを抑えることが可能である。
【図面の簡単な説明】
【００１３】
【図１】実施形態１のコネクタにおいて指によりロックアームの操作部を押し操作している状態をあらわす背面図
【図２】指の向きが不正であるために操作部の押し操作に支障を来している状態をあらわす背面図
【図３】コネクタの正面図
【図４】コネクタの背面図
【図５】コネクタの平面図
【図６】図５のＸ−Ｘ線断面図
【図７】実施形態２のコネクタの平面図
【図８】実施形態３のコネクタの平面図
【図９】実施形態４のコネクタの平面図
【発明を実施するための形態】
【００１４】
＜実施形態１＞
以下、本発明を具体化した実施形態１を図１乃至図６を参照して説明する。本実施形態のコネクタＡは、合成樹脂製であり、全体としてブロック状をなすコネクタハウジング１０と、コネクタハウジング１０の外面（上面）に沿って前後方向に延びた形態のロックアーム１６とを、前後方向に型開きされる金型（図示省略）を用いて一体に成型したものである。尚、前後方向は、図示しない相手側コネクタとの嵌合・離脱方向と平行な方向である。
【００１５】
コネクタハウジング１０内には、端子金具（図示省略）を挿入するための空間である複数のキャビティ１１が、上下２段に分かれて形成されている。キャビティ１１は、コネクタハウジング１０を前後方向に貫通する形態であるため、前後方向に型開きされる上記の金型によって成型される。
【００１６】
コネクタハウジング１０には、その上面を部分的に凹ませた形態の収容空間１２が形成されている。収容空間１２は、コネクタハウジング１０の上面、前端面及び後端面に開放された形態であり、換言すると、前後方向に貫通した形態となっている。したがって、この収容空間１２も、前後方向に型開きされる上記の金型によって成型されている。
【００１７】
コネクタハウジング１０の上面には、収容空間１２の上面側開口部の左右両側縁に沿って前後方向に細長くリブ状に延びた形態の壁部１３が、収容空間１２の幅方向中央の仮想軸線（図示省略）に関して左右対称に一対形成されている。前後方向における壁部１３の形成範囲は、収容空間１２（コネクタハウジング１０）の後端側の約１／３の領域である。
【００１８】
左右両壁部１３の内側面（互いに幅方向に対向する面）には、内向きに突出する干渉部１４が左右対称に形成されている。この一対の干渉部１４は、前後方向に細長くリブ状に延びた形態である。干渉部１４の上面は壁部１３の上面に対して面一状に連なっている。また、前後方向における干渉部１４の形成範囲は、壁部１３のうち前端側の約１／３の領域である。つまり、干渉部１４の前端面は壁部１３の前端面に対して面一状に連なっている。また、左右両壁部１３の内側面のうち干渉部１４が形成されていない後端側の領域には、上方に向かって幅方向の間隔が次第に拡がるように傾斜した左右対称な一対のテーパ面１５が形成されている。
【００１９】
収容空間１２内には、ロックアーム１６が配置されている。ロックアーム１６は、全体として前後方向に細長く延びる本体部１７と、本体部１７の前端部に形成された撓み支点部１８と、本体部１７の後端部に形成された操作部２０とを備えて構成されている。本体部１７の前後方向何おける略中央位置には、上方（コネクタハウジング１０とは反対側）へ突出するロック突起１９が形成されている。撓み支点部１８は、収容空間１２の底面１２Ｓ（本発明の構成要件であるコネクタハウジング１０の外面）の前端部に連なっており、ロックアーム１６は、この撓み支点部１８から後方（操作部２０側）に至るまで収容空間１２の底面１２Ｓに沿って片持ち状に延出した形態である。したがって、操作部２０は、ロックアーム１６の自由端に配置されていることになる。
【００２０】
かかるロックアーム１６は、常にはロック位置（図２，３，４，６を参照）に保持されているが、撓み支点部１８を支点としてロック位置よりも収容空間１２の底面１２Ｓに接近した解除位置（図１を参照）へ弾性撓みし得るようになっている。ロック位置にある状態では、本体部１７が収容空間１２の底面１２Ｓとほぼ平行をなすが、解除位置へ変位した状態では、本体部１７が収容空間１２の底面１２Ｓに対し後方に向かって下り勾配となるように（後端側ほど収容空間１２の底面１２Ｓに接近するように）傾斜した姿勢をとる。また、ロックアーム１６が弾性変形する際には、操作部２０は本体部１７とほぼ一体に変位する。
【００２１】
本実施形態のコネクタＡと相手側コネクタとが嵌合する過程では、ロック突起１９が相手側コネクタのロック部（図示省略）と干渉することによりロックアーム１６が解除位置へ弾性撓みさせられる。そして、コネクタＡと相手側コネクタが正規の嵌合状態に至ると、ロックアーム１６が弾性復帰してロック突起１９をロック部に係止させ、この係止作用により、コネクタＡと相手側コネクタが嵌合状態にロックされる。
【００２２】
また、嵌合されているコネクタＡと相手側コネクタを離脱させる際には、後述するように操作部２０を指Ｆで押し操作することにより、ロックアーム１６をロック位置から解除位置へ弾性撓みさせ、その状態を保ったままでコネクタＡと相手側コネクタとを引き離せばよい。
【００２３】
操作部２０は、全体として本体部１７よりも厚さ寸法が大きく外形はブロック状をなす。操作部２０の下面（コネクタハウジング１０の外面と対向する面）と左右両外側面は、夫々、本体部１７の下面と左右両外側面に対して面一状に連なるが、操作部２０の上面は、本体部１７の上面に対して段差状に高くなっている。操作部２０の前端面は、前後方向において壁部１３の前端面とほぼ同じ位置にあり、操作部２０の後端面（ロックアーム１６の後端面）は、壁部１３の後端よりも前方であって、干渉部１４の後端よりも後方に位置する。
【００２４】
操作部２０には、前後方向に貫通する形態の型抜き孔２１が形成されている。前後方向の投影面（図示省略）上において、型抜き孔２１はロック突起１９を包囲する形状と大きさを有する。型抜き孔２１を形成したことにより、操作部２０は、上面板２２と左右両側面板２３と下面板２４とから構成されて前後方向に貫通した箱状をなす。そして、型抜き孔２１を形成したことにより、ロックアーム１６のうち本体部１７と操作部２０は、前後方向に型開きされる上記の金型によって成型することが可能となっている。
【００２５】
操作部２０の方形をなす上面板２２の外面（上面）は、その全領域が操作面２５となっている。この操作面２５は、作業者が指Ｆを使ってロックアーム１６をロック位置から解除位置へ変位させるために下向きに押し操作を行う際に、指Ｆが押し付けられ又は指Ｆの先端が接近する面、即ち指Ｆによる操作力が付与される面である。ロックアーム１６がロック位置に保持されている状態では、操作面２５は、コネクタハウジング１０の上面のうち収容空間１２が形成されていない領域よりも少し高く、且つ干渉部１４の上面よりも少し低い位置にある。ロックアーム１６が解除位置へ変位した状態では、操作面２５は、コネクタハウジング１０の上面のうち収容空間１２が形成されていない領域よりも低い位置にある。
【００２６】
操作面２５には、操作面２５（操作部２０）の幅方向中央の仮想軸線に関して左右対称な一対の係止部２６が形成されている。係止部２６は、操作面２５から上方へ突出し、前後方向に連続して直線状に延びた形態となっている。一対の係止部２６の内側面（幅方向において互いに対向し合う面）は、前後方向（ロックアーム１６の延出方向と平行な方向）に細長く延びて互いに平行をなす平面状の係止面２７となっている。この係止面２７は操作面２５に対して直角をなす。
【００２７】
また、操作面２５よりも上方であって一対の係止部２６の間に挟まれた空間は、凹部２８となっている。この凹部２８は、操作部２０の前端から後端まで貫通した形態、即ち前後両端が開放された形態であり、前後方向の投影面（図示省略）上では方形をなしている。このように、操作面２５に形成されている係止部２６と係止面２７と凹部２８は、いずれも、前後方向に真っ直ぐ延びた形態となっているので、コネクタハウジング１０と同じく、前後方向に型開きされる上記金型のみによって成型されている。
【００２８】
係止部２６と係止面２７と凹部２８の前後方向の形成範囲は、操作部２０（操作面２５）における後端側の約１／２の領域である。係止部２６の前端面は、干渉部１４の後端よりも少し前方に位置し、係止部２６の後端面は操作部２０の後端面と面一状に連なる。つまり、前後方向において、係止部２６は壁部１３の形成領域の範囲内に位置し、係止部２６のうち前端部を除いた大部分の領域は、テーパ面１５の形成領域の範囲内に位置している。また、ロックアーム１６がロック位置にある状態で、係止部２６の上面は、壁部１３と干渉部１４の上面とほぼ同じ高さとなる。
【００２９】
１つの係止部２６の幅寸法は、操作部２０（操作面２５）の全幅寸法の約１／３であり、したがって、凹部２８の幅寸法も、操作部２０の全幅寸法の約１／３である。つまり、係止部２６と凹部２８はほぼ同じ幅寸法である。この係止部２６と凹部２８の幅寸法は、係止部２６と凹部２８の前後の長さ寸法よりも小さい、また、係止部２６の高さ寸法（即ち、凹部２８の深さ寸法）は、係止部２６及び凹部２８の幅寸法よりも小さい。
【００３０】
係止部２６の外側面（係止面２７とは反対側の面）は操作部２０の外側面に対して面一状に連なる。幅方向において、係止面２７は型抜き孔２１の形成範囲内に位置する。つまり、凹部２８の幅寸法は、型抜き孔２１の幅寸法よりも小さく、係止部２６のうち係止面２７側（幅方向中央側）の領域は、幅方向において型抜き孔２１とラップする（重なる）。換言すると、操作部２０の上面板２２のうち後端側の約１／２の領域では、左右両側縁部が係止部２６によって部分的に厚肉となって補強されていることになる。
【００３１】
操作部２０には、上記干渉部１４と協動してロックアーム１６の上方への不正な変形を防止するための手段として、左右一対の突起部２９が形成されている。この一対の突起部２９は、操作部２０の幅方向中央の軸線に関して対称であり、側面板２３の外側面から突出した形態である。前後方向において、突起部２９の形成範囲は干渉部１４の形成範囲とほぼ同じ領域に亘っている。つまり、突起部２９の前端は操作部２０の前端と同じ位置である。また、突起部２９の後端は、操作部２０の後端よりも前方で、且つ係止部２６の前端よりも少し後方に位置する。
【００３２】
突起部２９の上面は、操作面２５よりも低い位置にあり、突起部２９の下面は操作部２０の下面よりも高い位置にある。また、ロックアーム１６がロック位置にある状態で、突起部２９の上面は、干渉部１４の下面よりも少し低い位置にある。したがって、ロックアーム１６がロック位置よりも少し上方へ変位すると、突起部２９の上面が干渉部１４の下面に当接するので、それ以上のロックアーム１６の上方への変位が規制される。このときのロックアーム１６の上方への変位量は、ロックアーム１６の弾性限度の範囲内なので、ロックアーム１６が不正に塑性変形することはない。
【００３３】
次に、本実施形態の作用を説明する。ロックアーム１６が収容されている収容空間１２の幅寸法、即ち左右一対の干渉部１４の間隔は、図２に示すように大人の手の指Ｆの幅寸法よりも小さい寸法であるが、図１に示すように指Ｆの腹を幅方向に向けた状態（つまり、指Ｆを横向きにした状態）では、指Ｆの先端部分を下向きにして上から進入させることができる程度の寸法となっている。そして、この寸法設定により、指Ｆを横向きにして収容空間１２内に最も深く差し入れたと仮定したときの指Ｆの先端の高さは、ロックアーム１６が解除位置まで撓んだときの操作面２５の高さと同じか、それよりも低い位置となる。
【００３４】
したがって、ロックアーム１６を解除位置へ変位させるべく操作部２０を指Ｆで押し操作するときに、指Ｆの幅方向とコネクタＡの幅方向とが同じ向きとなるようにして、その指Ｆで操作部２０の前端側部分を押すと、ロックアーム１６が解除位置に到達する前に、指Ｆの左右両側面が干渉部１４に当たり、それ以上、指Ｆを収容空間１２に差し込むことはできない。つまり、それ以上、ロックアーム１６の押し操作を進めることはできない。
【００３５】
また、上記と同じく指Ｆの幅方向とコネクタＡの幅方向とが同じ向きとなるようにして、その指Ｆで操作部２０の後端側部分を押した場合は、図２に示すように、ロックアーム１６が解除位置に到達する前に、指Ｆの左右両側面が壁部１３のテーパ面１５に当たり、それ以上、指Ｆを収容空間１２に差し込むことはできない。つまり、この場合も、ロックアーム１６を解除位置まで撓ませることはできないのである。
【００３６】
尚、図２では、指Ｆの腹を前方に向けて指Ｆの先端で操作部２０を押し操作する状態を示しているが、指Ｆの先端を前方に向けて指Ｆの腹で操作部２０を押し操作した場合も、押し操作の途中で、指Ｆの側縁部が干渉部１４又はテーパ面１５に当たるため、ロックアーム１６を解除位置まで撓ませることはできない。
【００３７】
ここで、指Ｆは幅寸法に比べると厚さ寸法が小さく、特に指Ｆの先端に向かって厚さ寸法が小さくなる、という指Ｆの形状的特徴に着目すれば、図１に示すように、指Ｆを横向きにして、指Ｆの腹が一方の干渉部１４と対向し（即ち、幅方向を向き）、指Ｆの爪が他方の干渉部１４と対向することにより、指Ｆの先端を干渉部１４やテーパ面１５に当てることなく（即ち、干渉部１４に邪魔されることなく）収容空間１２内に深く差し込むことができる。したがって、指Ｆの先端又は爪の先で操作部２０を上から押せば、ロックアーム１６を所定の解除位置まで確実に弾性撓みさせることができる。
【００３８】
特に、本実施形態では、操作部２０における後端側の約１／２の部分は、干渉部１４よりも後方に位置しているので、この干渉部１４よりも後方の領域において指Ｆを操作部２０に当てるようにすれば、指Ｆが干渉部１４に当たるのを確実に回避できる。さらに、収容空間１２の上端の開口部よりも上方においては、干渉部１４の形成母体である壁部１３のうち干渉部１４よりも後方に、上方に向かって幅方向の間隔を拡がるように傾斜した一対のテーパ面１５が形成されている。したがって、操作面２５のうち後端側の約１／２の領域を狙って指Ｆで押すようにすれば、干渉部１４との干渉をより確実に回避できるだけでなく、テーパ面１５により指Ｆと壁部１３との干渉も回避することができ、押し操作の作業性向上が期待できる。
【００３９】
さて、指Ｆの腹と爪が幅方向を向くようにして、指Ｆの先で操作部２０を押し操作する場合には、図１に示すように、指Ｆの関節の曲がる方向が、操作部２０を押す方向とほぼ直角な幅方向となるため、押し操作の際に操作面２５上で指Ｆが滑って幅方向へずれ、作業性の低下を来すことが懸念される。特に、爪の先が操作面２５に当たる場合、爪は指Ｆの腹に比べて滑り易いことから、指Ｆの幅方向へのずれ動作が顕著となると考えられる。
【００４０】
しかし、本実施形態では、操作面２５上に、幅方向に対向し合う一対の係止部２６を設けているので、この両係止部２６の間の凹部２８内に指Ｆの先端を嵌め入れるようにすれば、その指Ｆの先端又は爪の先が係止部２６に引っ掛かり、指Ｆが幅方向へずれるのを回避できる。これにより、指Ｆによる押し操作を支障なく行うことができる。
【００４１】
また、一対の係止部２６は、ロックアーム１６の延出方向即ちロックアーム１６の幅方向と交差する方向へ直線状に連続して延びた形態なので、操作部２０を押し操作したときに、指Ｆがロックアーム１６の延出方向（前後方向）にずれたとしても、指Ｆは係止部２６に係止した状態に保たれる。
【００４２】
また、コネクタハウジング１０は、ロックアーム１６の延出方向に沿って型開きされる金型によって成型されるようになっているのであるが、一対の係止部２６の間に形成される凹部２８は、そのロックアーム１６の延出方向における前後両端が開放された形態となっている。したがって、ロックアーム１６は、ロックアーム１６の延出方向（前後方向）に型開きされる金型のみを用いて成型することが可能である。このことは、ロックアーム１６とコネクタハウジング１０を共通の金型で成型し得ることを意味するので、金型コストを抑えることが可能である。
【００４３】
＜実施形態２＞
次に、本発明を具体化した実施形態２を図７を参照して説明する。本実施形態２のコネクタＢは、係止部３０を上記実施形態１とは異なる形態としたものである。その他の構成については上記実施形態１と同じであるため、同じ構成については、同一符号を付し、構造、作用及び効果の説明は省略する。
【００４４】
操作面２５に形成した左右対称な一対の係止部３０は、操作面２５の前端から後端に至るまで連続して前後方向に直線状に延びた形態となっている。また、一対の係止部３０の内側面（幅方向において互いに対向し合う面）は、その全長に亘り、前後方向に細長く延びて互いに平行をなす平面状の係止面３１となっている。つまり、本実施形態２の係止部３０と係止面３１は、実施形態１の係止部２６と係止面２７よりも長い範囲に亘って形成されている。
【００４５】
また、一対の係止部３０の間に挟まれた凹部３２も、係止部３０及び係止面３１と同様、操作面２５の前端から後端に亘る範囲に形成されている。この凹部３２は、そのロックアーム１６の延出方向における前後両端が開放された形態となっているので、実施形態１と同様、ロックアーム１６は、ロックアーム１６の延出方向に型開きされる金型（図示省略）のみを用いて成型することが可能である。
【００４６】
＜実施形態３＞
次に、本発明を具体化した実施形態３を図８を参照して説明する。本実施形態３のコネクタＣも、係止部を上記実施形態１とは異なる形態としたものである。その他の構成については上記実施形態１と同じであるため、同じ構成については、同一符号を付し、構造、作用及び効果の説明は省略する。
【００４７】
操作面２５に形成した左右対称な一対の係止部４０は、実施形態２の係止部３０と同様、操作面２５の前端から後端に至るまで連続して前後方向に直線状に延びた形態となっている。同じく操作面２５には、操作面２５の後端縁に沿って幅方向に延びて一対の係止部４０の後端部同士を繋ぐようにリブ状に突出した形態の後縁側突部４１が形成されている。このように後縁側突部４１を形成したことにより、指Ｆを一対の係止部４０の間の凹部４２内に嵌め入れて操作部２０を押し操作したときに、指Ｆが操作部２０に対して後方へ外れる虞がなく、作業性の向上が期待できる。
【００４８】
また、ロックアーム１６の延出方向（前後方向）において、凹部４２は、その後端が後縁側突部４１で閉塞されているのに対し、前端が開放されている。このように、凹部４２は、そのロックアーム１６の延出方向における前後両端のうち少なくとも一方が開放された形態となっているので、実施形態１と同様、ロックアーム１６は、ロックアーム１６の延出方向に型開きされる金型のみを用いて成型することが可能である。
【００４９】
＜実施形態４＞
次に、本発明を具体化した実施形態４を図９を参照して説明する。本実施形態４のコネクタＤは、係止部を上記実施形態１とは異なる形態としたものである。その他の構成については上記実施形態１と同じであるため、同じ構成については、同一符号を付し、構造、作用及び効果の説明は省略する。
【００５０】
操作面２５に形成した左右対称な一対の係止部５０は、実施形態２及び３の係止部３０，４０と同様、操作面２５の前端から後端に至るまで連続して前後方向に直線状に延びた形態となっている。同じく操作面２５には、操作面２５の前縁に沿って幅方向に延びて一対の係止部５０の前端部同士を繋ぐようにリブ状に突出した形態の前縁側突部５１と、操作面２５の後端縁に沿って幅方向に延びて一対の係止部５０の後端部同士を繋ぐようにリブ状に突出した形態の後縁側突部５２とが形成されている。
【００５１】
また、ロックアーム１６の延出方向において、一対の係止部５０の間の凹部５３は、その前端が前縁側突部５１で閉塞されているとともに、その後端が後縁側突部５２で閉塞されている。このように、凹部５３は、そのロックアーム１６の延出方向における前後両端の双方が塞がれた形態となっているので、ロックアーム１６の少なくとも凹部５３を形成するためには、ロックアーム１６の延出方向に型開きされる金型の他に、ロックアーム１６の延出方向と交差する方向（上方）へ型開きされる金型（図示省略）が必要となる。
【００５２】
しかしながら、操作面２５の前後両端縁及び左右両端縁に沿ってリブ状に突出する部分（係止部５０、前縁側突部５１及び後縁側突部５２）が形成されているので、操作部２０の剛性が高められている。また、指Ｆで操作部２０を押し操作したときに、指Ｆの先端を凹部５３内に嵌め入れるようにすれば、指Ｆが前後左右のいずれの方向へもずれ難くなるので、作業性の向上が期待できる。
【００５３】
＜他の実施形態＞
本発明は上記記述及び図面によって説明した実施形態に限定されるものではなく、例えば次のような実施態様も本発明の技術的範囲に含まれる。
（１）上記実施形態では、一対の係止面が互いに平行をなすようにしたが、一対の係止面は、その間隔（幅方向の寸法）がロックアームの延出方向に沿って変動する形態（例えば、端も支点部から操作部に向かって次第に間隔が狭まる形態等）としてもよい。
（２）上記実施形態では、係止部にロックアームの延出方向に沿って延びる平面状の係止面を形成したが、係止部のうち相手側の係止部と対向する領域は、平面状に限らず、曲面や、凹凸が交互に連なる面や、三角形の山と谷が交互に連なる形態等であってもよい。
（３）上記実施形態では、一対の係止部をロックアームの幅方向中央の軸線に関して左右対称な形態としたが、一対の係止部は、左右非対称な経緯対であってもよい。
（４）上記実施形態の干渉部は、ロックアームがロック位置から解除位置との反対側（コネクタハウジングから離間する方向）へ不正に変形するのを防止するための反転防止部としての機能を有するものであったが、干渉部は、ロックアームに対する異物の干渉を防止するための保護壁であってもよい。
（５）上記実施形態では、係止部のうち係止面とは反対側の外側面が操作部の外側面に対して面一状に連なる形態としたが、係止部のうち係止面とは反対側の外側面は、操作部の外側面よりも幅方向中央寄りに位置していてもよい。この場合、係止部は、操作面の左右両側縁よりも内側の位置においてリブ状に突出した形態となる。
【符号の説明】
【００５４】
Ａ…コネクタ
Ｆ…指
１０…コネクタハウジング
１２Ｓ…収容空間の底面（コネクタハウジングの外面）
１４…干渉部
１６…ロックアーム
１８…撓み支点部
２０…操作部
２５…操作面
２６…係止部
２８…凹部
Ｂ，Ｃ，Ｄ…コネクタ
３０，４０，５０…係止部
３２，４２，５３…凹部
【図１】
2010262810.tif 000003
【図２】
2010262810.tif 000004
【図３】
2010262810.tif 000005
【図４】
2010262810.tif 000006
【図５】
2010262810.tif 000007
【図６】
2010262810.tif 000008
【図７】
2010262810.tif 000009
【図８】
2010262810.tif 000010
【図９】
2010262810.tif 000011